(57)【要約】【課題】蓄熱槽の熱媒の熱を放熱端末において有効に利用することができる蓄熱式熱源装置を提供する。【解決手段】熱媒により蓄熱する蓄熱槽１４と、熱を発生する加熱部１１と、加熱部１１の熱を蓄熱槽１４の熱媒に回収する熱回収処理部を備えた蓄熱式熱源装置１００であって、蓄熱槽１４の上部の熱媒を、上部放熱端末接続管を介して、蓄熱槽１４、加熱部１１及び熱回収処理部とは別体として設けられた燃焼式加熱装置１８の膨張タンク２２と放熱循環ポンプ２１と燃焼式加熱部１７とを経由した上で、熱媒の熱を消費する放熱端末３０に供給すると共に、放熱端末３０を通流した熱媒を、下部放熱端末接続管を介して、蓄熱槽１４の下部に戻す形態で、熱媒を循環させる熱消費処理部とを備え、蓄熱槽１４が膨張タンク２２と接続されていることにより大気に開放されている。【選択図】図１
2016118328.tif 000002
【特許請求の範囲】
【請求項１】
熱媒により蓄熱する蓄熱槽と、熱を発生する加熱部と、前記加熱部の熱を前記蓄熱槽の熱媒に回収する熱回収処理部を備えた蓄熱式熱源装置であって、
前記蓄熱槽の上部の熱媒を、上部放熱端末接続管を介して、前記蓄熱槽、前記加熱部及び前記熱回収処理部とは別体として設けられた燃焼式加熱装置の膨張タンクと放熱循環ポンプと燃焼式加熱部とを経由した上で、熱媒の熱を消費する放熱端末に供給すると共に、前記放熱端末を通流した熱媒を、下部放熱端末接続管を介して、前記蓄熱槽の下部に戻す形態で、熱媒を循環させる熱消費処理部とを備え、前記蓄熱槽が前記膨張タンクと接続されていることにより大気に開放されている蓄熱式熱源装置。
【請求項２】
前記熱回収処理部が、前記蓄熱槽の下部の熱媒を、下部加熱接続管を介して、前記加熱部もしくは前記加熱部の熱で加熱される熱交換器に供給すると共に、前記加熱部もしくは前記熱交換器を通流した熱媒を、上部加熱接続管を介して、前記蓄熱槽の上部に戻す形態で構成され、
前記膨張タンクに熱媒補給弁を備えると共に、前記下部放熱端末接続管と前記下部加熱接続管とを接続する接続配管を備え、前記下部放熱端末接続管に当該下部放熱端末接続管から前記接続配管への熱媒の供給状態を切替える熱媒供給切換弁を配置した請求項１に記載の蓄熱式熱源装置。
【発明の詳細な説明】
【技術分野】
【０００１】
本発明は、熱媒により蓄熱する蓄熱槽と、熱を発生する加熱部と、加熱部の熱を蓄熱槽の熱媒に回収する熱回収処理部とを備えた蓄熱式熱源装置に関する。
【背景技術】
【０００２】
かかる蓄熱式熱源装置は、一般家庭等に設置されて、熱媒としての湯水を加熱部において発生した熱によって加熱して蓄熱槽に貯留し、その蓄熱槽の湯水を暖房や給湯等に用いるように構成されている。
【０００３】
かかる蓄熱式熱源装置の従来例として、熱媒により蓄熱する蓄熱槽と、その蓄熱槽とは別に熱媒を貯留可能に構成した膨張タンク（シスターン）とが備えられ、熱媒の熱を消費するための循環流路として、膨張タンクと熱を消費する放熱端末との間で熱媒を循環する循環流路を設け、熱媒の熱を放熱端末にて消費するように構成されたものがある（例えば、特許文献１参照）。また、この従来例の蓄熱式熱源装置には、熱媒に熱を供給するための循環流路として、蓄熱槽と膨張タンクと加熱部を熱媒が循環する循環流路が設けられ、この循環流路に熱媒を循環させることで、蓄熱槽及び膨張タンクに貯留される熱媒が同時に加熱されるものである。
【先行技術文献】
【特許文献】
【０００４】
【特許文献１】特開２００２−３３３２０７号公報
【発明の概要】
【発明が解決しようとする課題】
【０００５】
従来の蓄熱式熱源装置では、膨張タンクと放熱端末との間を循環する循環流路が設けられているので、膨張タンクから放熱端末に熱媒を供給することができるが、蓄熱槽の熱媒を放熱端末に循環させることができず、蓄熱槽の熱媒の熱を放熱端末において有効に利用することができないという問題があった。
また、蓄熱槽と膨張タンクと加熱部を熱媒が循環する循環流路が設けられているので、一般的に使用されている、膨張タンクと放熱循環ポンプと燃焼式加熱部とで構成される燃焼式加熱装置を、蓄熱槽、加熱部及び熱回収処理部と別体にして、蓄熱槽の熱媒の熱を放熱端末において有効に利用することができなかった。
【０００６】
本発明は、かかる点に着目してなされたものであり、その目的は、燃焼式加熱装置を蓄熱槽、加熱部及び熱回収処理部と別体にしても、蓄熱槽の熱媒の熱を放熱端末において有効に利用することができる蓄熱式熱源装置を提供する点にある。
【課題を解決するための手段】
【０００７】
この目的を達成するための本発明に係る蓄熱式熱源装置は、
熱媒により蓄熱する蓄熱槽と、熱を発生する加熱部と、前記加熱部の熱を前記蓄熱槽の熱媒に回収する熱回収処理部を備えた蓄熱式熱源装置であって、その特徴構成は、
前記蓄熱槽の上部の熱媒を、上部放熱端末接続管を介して、前記蓄熱槽、前記加熱部及び前記熱回収処理部とは別体として設けられた燃焼式加熱装置の膨張タンクと放熱循環ポンプと燃焼式加熱部とを経由した後に、熱媒の熱を消費する放熱端末に供給すると共に、前記放熱端末を通流した熱媒を、下部放熱端末接続管を介して、前記蓄熱槽の下部に戻す形態で、熱媒を循環させる熱消費処理部とを備え、前記蓄熱槽が前記膨張タンクと接続されていることにより大気に開放されている点にある。
【０００８】
上記特徴構成によれば、蓄熱槽が大気に開放されているため、蓄熱槽の上部の熱媒を、燃焼式加熱装置を経由して熱媒の熱を消費する放熱端末へ、熱交換器を介さずに供給し、この放熱端末を通流した熱媒を蓄熱槽の下部に戻す形態で、蓄熱槽の熱媒を蓄熱槽と放熱端末との間において直接循環させることができるので、蓄熱槽の熱媒の熱を放熱端末において有効かつ効率良く利用することができる。
【０００９】
また、上記特徴構成によれば、燃焼式加熱装置に燃焼式加熱部が設けられているので、燃焼式加熱装置を経由して放熱端末に供給される蓄熱槽の熱媒の熱が不足する場合には、燃焼式加熱部によって熱媒を加熱することによって、放熱端末において必要とされる熱を供給することができる。
【００１０】
本発明に係る蓄熱式熱源装置の更なる特徴構成は、
前記熱回収処理部が、前記蓄熱槽の下部の熱媒を、下部加熱接続管を介して、前記加熱部もしくは前記加熱部の熱で加熱される熱交換器に供給すると共に、前記加熱部もしくは前記熱交換器を通流した熱媒を、上部加熱接続管を介して、前記蓄熱槽の上部に戻す形態で構成され、
前記膨張タンクに熱媒補給弁を備えると共に、前記下部放熱端末接続管と前記下部加熱接続管とを接続する接続配管を備え、前記下部放熱端末接続管に当該下部放熱端末接続管から前記接続配管への熱媒の供給状態を切替える熱媒供給切換弁を配置した点にある。
【００１１】
上記特徴構成によれば、下部放熱端末接続管と下部加熱接続管とを接続する接続配管に熱媒供給切換弁が配置されているので、蓄熱槽、熱回収処理部及び熱消費処理部内に熱媒が満たされていない状態で、膨張タンクの熱媒補給弁から供給した熱媒を放熱循環ポンプで送出することにより、蓄熱槽、熱回収処理部及び熱消費処理部内に熱媒を満たす際、熱媒供給切換弁を下部放熱端末接続管から接続配管に熱媒が流入する状態に切替えることで、蓄熱槽をバイパスして、熱消費処理部から熱回収処理部に熱媒を供給することができる。
【００１２】
よって、蓄熱槽から熱回収処理部の下部加熱接続管への接続部において圧力損失等が発生し、蓄熱槽から熱回収処理部に熱媒が流入しにくい状態であっても、熱回収処理部内に熱媒を満たすことができる。例えば、熱回収処理部内に空気が存在することで、蓄熱槽から下部加熱接続管への熱媒が流入しにくい状態であっても、接続配管から供給される熱媒により熱回収処理部内に熱媒を満たすことができる。
【図面の簡単な説明】
【００１３】
【図１】本発明に係る蓄熱式熱源装置の概略構成図
【図２】加熱運転に係る制御フロー図
【図３】放熱運転に係る制御フロー図
【図４】加熱放熱運転に係る制御フロー図
【図５】補助加熱量制御に係る制御フロー図
【図６】バイパス流量制御に係る制御フロー図
【発明を実施するための形態】
【００１４】
本発明に係る蓄熱式熱源装置の実施形態について図面に基づいて説明する。
図１に示す蓄熱式熱源装置１００は、熱媒としての湯水により蓄熱する蓄熱槽１４と、熱を発生して湯水を加熱する熱電併給装置１１（加熱部の一例）と、熱電併給装置１１の熱を蓄熱槽１４の湯水に回収する熱回収処理部と、暖房装置などの湯水の熱を消費する放熱端末３０とを備えている。尚、図１において示された矢印Ｘの方向は、蓄熱式熱源装置１００の上方側を示すものである。
【００１５】
熱回収処理部は、加熱循環回路Ｃ１と熱電併給装置１１とを備え、蓄熱槽１４の下部の湯水を、加熱往き路Ｒ１を形成する下部加熱接続管を介して、熱電併給装置１１に供給すると共に、熱電併給装置１１を通流した湯水を、加熱戻り路Ｒ２を形成する上部加熱接続管を介して、蓄熱槽１４の上部に戻す形態で構成されている。
【００１６】
また、蓄熱式熱源装置１００には、蓄熱槽１４の湯水の熱を消費する熱消費処理部が設けられている。
この熱消費処理部は、放熱端末循環回路Ｃ２と放熱端末３０とを備え、蓄熱槽１４の上部の湯水を、放熱端末往き路Ｒ３を形成する上部放熱端末接続管を介して、蓄熱槽１４、熱電併給装置１１及び熱回収処理部とは別体として設けられた燃焼式加熱装置１８の膨張タンク２２と放熱循環ポンプ２１と燃焼式加熱部１７を経由した上で、湯水の熱を消費する放熱端末３０に供給すると共に、放熱端末３０を通流した湯水を、放熱端末戻り路Ｒ４を形成する下部放熱端末接続管を介して、蓄熱槽１４の下部に戻す形態で、湯水を循環させるものである。尚、蓄熱槽１４は、大気開放されている膨張タンク２２と接続されていることにより大気に開放されている。
【００１７】
膨張タンク２２は、蓄熱槽１４及び熱回収処理部よりも高く配置されている。また、膨張タンク２２に設けられた外部より湯水が供給される熱媒供給路Ｒ８に、膨張タンク２２への湯水の補給状態を切り替える熱媒補給弁２３が備えられている。この熱媒補給弁２３を開くことで、蓄熱式熱源装置１００へ湯水を供給することができる。
また、膨張タンク２２には、膨張タンク２２内の湯水の水位を検知する水位センサ２２ａが設けられ、膨張タンク２２の水位が上昇して水位センサ２２ａによって所定の水位が検知されると、熱媒補給弁２３が閉じられるように構成されている。
【００１８】
以下、図１に基づいて、加熱循環回路Ｃ１、放熱端末循環回路Ｃ２、及び、加熱循環回路Ｃ１と放熱端末循環回路Ｃ２とを接続する接続配管Ｒ９の構成について詳細に説明する。
【００１９】
〔加熱循環回路〕
加熱循環回路Ｃ１は、蓄熱槽１４に貯湯される湯水を加熱するために蓄熱槽１４と熱電併給装置１１との間で湯水を循環させるための循環回路として構成されている。
詳しくは、加熱循環回路Ｃ１は、蓄熱槽１４の下部と熱電併給装置１１の湯水流入側とを接続する加熱往き路Ｒ１と、熱電併給装置１１の湯水流出側と蓄熱槽１４の上部とを接続する加熱戻り路Ｒ２と、加熱往き路Ｒ１において蓄熱槽１４の下部から熱電併給装置１１の湯水流入側に向けて湯水を送る加熱循環ポンプ１２とから構成されている。
このように構成された加熱循環回路Ｃ１は、加熱循環ポンプ１２を作動させることによって、蓄熱槽１４の下部の湯水を、加熱往き路Ｒ１を介して熱電併給装置１１に供給すると共に、熱電併給装置１１を通流した湯水を、加熱戻り路Ｒ２を介して蓄熱槽１４の上部に戻す形態で、湯水を循環させるものとなる。
【００２０】
尚、本実施形態において、蓄熱槽１４の下部とは、蓄熱槽１４内の下層に連通する部分を意味し、蓄熱槽１４の上部とは、蓄熱槽１４内の上層に連通する部分を意味する。また、加熱往き路Ｒ１の上流側端部は、蓄熱槽１４の底面に接続されており、加熱戻り路Ｒ２の下流側端部は、蓄熱槽１４の天井面に接続されている。
そして、かかる加熱循環回路Ｃ１において湯水を循環させながら、熱電併給装置１１で湯水を加熱することによって、蓄熱槽１４内の上層へは、熱電併給装置１１で加熱された湯水が加熱戻り路Ｒ２から流入することになり、蓄熱槽１４内の下層からは、低温の湯水が加熱往き路Ｒ１へ流出することになる。このことにより、蓄熱槽１４内の湯水の状態は、上層から下層に亘って、上層に高温の湯水が存在し下層に低温の湯水が存在する形態の所謂温度成層が形成された成層貯湯状態となる。尚、この蓄熱槽１４には、蓄熱槽１４内の下層の湯水温度を検出する下層温度センサＳ４、及び、蓄熱槽１４内の上層の湯水温度を検出する上層温度センサＳ５が設けられている。尚、本実施形態において、この下層温度センサＳ４で検出される温度を蓄熱槽下層温度Ｔ４と呼び、この上層温度センサＳ５で検出される温度を蓄熱槽上層温度Ｔ５と呼ぶ場合がある。
また、加熱戻り路Ｒ２には、当該加熱戻り路Ｒ２の湯水温度を検出する加熱戻り温度センサＳ１が設けられている。尚、本実施形態において、この加熱戻り温度センサＳ１で検出される温度を加熱戻り温度Ｔ１と呼ぶ場合がある。
【００２１】
〔放熱端末循環回路〕
放熱端末循環回路Ｃ２は、蓄熱槽１４に貯湯された湯水を放熱端末３０で放熱させるために蓄熱槽１４と放熱端末３０との間で湯水を循環させるための循環回路として構成されている。
詳しくは、放熱端末循環回路Ｃ２は、蓄熱槽１４の上部と放熱端末３０の湯水流入側とを接続する放熱端末往き路Ｒ３と、放熱端末３０の湯水流出側と蓄熱槽１４の下部とを接続する放熱端末戻り路Ｒ４で構成されており、放熱端末往き路Ｒ３には、膨張タンク２２、放熱循環ポンプ２１及び燃焼式加熱部１７を備えた燃焼式加熱装置１８が設けられている。
このように構成された放熱端末循環回路Ｃ２は、放熱循環ポンプ２１を作動させることによって、蓄熱槽１４の上部の湯水を、放熱端末往き路Ｒ３を介して、燃焼式加熱装置１８の膨張タンク２２と放熱循環ポンプ２１と燃焼式加熱部１７を経由した上で、放熱端末３０に供給すると共に、放熱端末３０を通流した湯水を、放熱端末戻り路Ｒ４を介して蓄熱槽１４の下部に戻す形態で、湯水を循環させるものとなる。
【００２２】
放熱端末循環回路Ｃ２には、当該放熱端末循環回路Ｃ２において蓄熱槽１４をバイパスするバイパス路Ｒ５が放熱端末戻り路Ｒ４と放熱端末往き路Ｒ３とを直接接続する状態で設けられており、このバイパス路Ｒ５と放熱端末往き路Ｒ３との接続部には、放熱端末循環回路Ｃ２における湯水の通流状態を切り換える切換手段として機能する三方弁１５が設けられている。
即ち、この三方弁１５は、バイパス路Ｒ５が接続されるバイパス側接続ポート、放熱端末往き路Ｒ３の上流側（即ち蓄熱槽１４側）が接続される蓄熱槽側接続ポート、放熱端末往き路Ｒ３の下流側（即ち放熱端末３０側）が接続される放熱端末側接続ポートを有し、これら各接続ポートの連通状態を切り換えることで、放熱端末循環回路Ｃ２における湯水の通流状態を切り換え可能となる。
【００２３】
この放熱端末循環回路Ｃ２における湯水の通流状態の切り換えは、放熱端末戻り路Ｒ４の湯水の全量をバイパス路Ｒ５に流入させる全量バイパス状態と、蓄熱槽１４の下部とバイパス路Ｒ５への放熱端末戻り路Ｒ４の湯水の流入を許容する分流許容状態との間で切り換えられる。
即ち、三方弁１５は、全量バイパス状態では、蓄熱槽側接続ポートを閉塞すると共にバイパス側接続ポートと放熱端末側接続ポートとを連通させる状態となり、一方、分流許容状態では、全ての接続ポートを互いに連通させる状態となる。
更に、この三方弁１５は、少なくとも分流許容状態において、バイパス側接続ポートと蓄熱槽側接続ポートの開度の配分を調整することにより、バイパス路Ｒ５における湯水の流量であるバイパス流量Ｌ３を調整可能なバイパス流量調整手段として機能するように構成されている。
【００２４】
放熱端末往き路Ｒ３の三方弁１５の下流側には、上流側から順に、当該放熱端末往き路Ｒ３の湯水を加熱する燃焼式加熱装置１８と、湯水の通流を断続可能な開閉弁１９とが設けられている。
かかる燃焼式加熱装置１８は、燃焼式加熱部１７に設けられたバーナ１７ａによりガス燃料を燃焼させて湯水を加熱する一般的な給湯装置として構成されている。また、この燃焼式加熱部１７は、バーナ１７ａへのガス燃料の供給量を調整弁１７ｂにより調整することにより、湯水に対する加熱量を調整可能に構成されている。
【００２５】
また、放熱端末往き路Ｒ３における燃焼式加熱装置１８の内部には、燃焼式加熱部１７による加熱前の放熱端末往き路Ｒ３の湯水温度を検出する放熱往き温度センサＳ２と、放熱端末往き路Ｒ３の湯水流量を検出する放熱往き流量センサＦ１とが設けられており、燃焼式加熱部１７の下流側には、燃焼式加熱部１７にて加熱された湯水の温度を検出する補助加熱温度センサＳ３が設けられている。尚、本実施形態において、この放熱往き温度センサＳ２で検出される温度を放熱往き温度Ｔ２と呼び、補助加熱温度センサＳ３で検出される温度を放熱端末往き温度Ｔ３と呼ぶ場合がある。
また、放熱端末戻り路Ｒ４におけるバイパス路Ｒ５との接続部の上流側には、放熱端末戻り路Ｒ４の湯水温度を検出する放熱戻り温度センサＳ６が設けられている。尚、本実施形態において、放熱戻り温度センサＳ６で検出される温度を放熱戻り温度Ｔ６と呼ぶ場合がある。
【００２６】
〔接続配管〕
接続配管Ｒ９は、放熱端末戻り路Ｒ４を形成する下部放熱端末接続管と加熱往き路Ｒ１を形成する下部加熱接続管とを接続するように設けられている。また、接続配管Ｒ９と下部放熱端末接続管との接続部には、下部放熱端末接続管から接続配管Ｒ９への湯水の供給状態を切替える熱媒供給切換弁２４が配置されている。熱媒供給切換弁２４は、蓄熱式熱源装置１００への水張り時において、湯水が接続配管Ｒ９に供給される状態に切替えて、放熱端末戻り路Ｒ４を流れる湯水を熱回収処理部に供給するために使用するものである。
【００２７】
以上が蓄熱式熱源装置１００の基本構成であるが、係る蓄熱式熱源装置１００には、マイクロコンピュータ等からなる制御装置２０が設けられており、この制御装置２０により、放熱循環ポンプ２１、三方弁１５、及び、熱媒補給弁２３等が制御され、以下に示すように蓄熱式熱源装置１００への水張りが行われる。
すなわち、三方弁１５の開度を、バイパス路Ｒ５と連通するバイパス側接続ポートと放熱端末往き路Ｒ３の蓄熱槽側と連通する蓄熱槽側接続ポートとの開度が均等となるように調整し、熱媒供給切換弁２４を湯水が蓄熱槽１４側に流れるように切り替える。そして、膨張タンク２２の熱媒供給路Ｒ８に設けられた熱媒補給弁２３を開けて、膨張タンク２２に湯水を供給し、放熱循環ポンプ２１を作動させる。その後、蓄熱槽１４において満水状態の５０％以上の湯水が満たされた時に、熱媒供給切換弁２４を湯水が接続配管Ｒ９側に流れるように切り替える。その後、蓄熱槽１４が満水となり、さらに、燃焼式加熱装置１８の膨張タンク２２の湯水の水位が上昇して水位センサ２２ａによって所定の水位が検知されると、熱媒補給弁２３を閉じると共に、放熱循環ポンプ２１を停止して水張りを完了する。尚、蓄熱槽１４において５０％以上の湯水が満たされたかどうかの判断は、蓄熱槽１４に設けられた図示しない水位センサで行われる。
【００２８】
また、制御装置２０により、加熱循環回路Ｃ１に湯水を循環させて熱電併給装置１１による湯水の加熱を行う加熱運転、放熱端末循環回路Ｃ２に湯水を循環させて放熱端末３０による湯水の放熱を行う放熱運転、及び、これら加熱運転と放熱運転とを同時に行う加熱放熱運転を択一的に実行するように構成されている。
以下、これら加熱運転、放熱運転、及び加熱放熱運転の詳細構成、並びに、これらの運転中に実行される各種制御構成について、図２〜図６に基づいて、順に説明する。
【００２９】
〔加熱運転〕
制御装置２０により実行される加熱運転の詳細構成について、図２に基づいて説明する。
加熱運転は、外部からの加熱運転の開始指令が入力された際に実行が開始され、かかる加熱運転では、先ず、加熱循環ポンプ１２の作動が開始されることで、加熱循環回路Ｃ１における湯水の循環が開始される（ステップ＃１１）。このとき、放熱端末循環回路Ｃ２においては、放熱循環ポンプ２１の作動は停止されることで、湯水の循環は停止している状態となる。
尚、加熱循環ポンプ１２の作動開始直後は、加熱循環ポンプ１２は最低回転数で作動し、加熱循環回路Ｃ１における湯水の循環流量である加熱循環流量Ｌ１は最小流量に設定される。
【００３０】
次に、熱電併給装置１１の作動が開始されて、加熱循環回路Ｃ１を循環する湯水の加熱が開始され（ステップ＃１２）、同時に、加熱戻り温度Ｔ１が所定の目標貯湯温度（例えば６０〜７５℃の間の所定の温度）になるように、加熱循環ポンプ１２の回転数を調整する形態で、加熱循環回路Ｃ１における加熱循環流量Ｌ１が制御される（ステップ＃１３）。
このステップ＃１３の加熱循環流量Ｌ１の制御は、加熱運転の終了指令が入力されるまでは継続して実行され（ステップ＃１４）、加熱運転の終了指令が入力された場合には、加熱運転を終了すべく、加熱循環ポンプ１２及び熱電併給装置１１等を停止する形態で加熱運転終了処理が実行される（ステップ＃１５）。
【００３１】
〔放熱運転〕
制御装置２０により実行される放熱運転の詳細構成について、図３に基づいて説明する。
放熱運転は、外部からの放熱運転の開始指令が入力された際に実行が開始され、かかる放熱運転では、先ず、三方弁１５により放熱端末循環回路Ｃ２における湯水の通流状態が、蓄熱槽１４の下部とバイパス路Ｒ５への放熱端末戻り路Ｒ４の湯水の流入を許容する分流許容状態とされる（ステップ＃２１）。更に、開閉弁１９が開状態に切り換えられた状態で放熱循環ポンプ２１の作動が開始されることで、放熱端末循環回路Ｃ２における湯水の循環が開始される（ステップ＃２２）。このとき、加熱循環回路Ｃ１においては、加熱循環ポンプ１２の作動は停止されることで、湯水の循環は停止している状態となる。
尚、放熱循環ポンプ２１は、常に定格回転数で作動し、放熱端末循環回路Ｃ２における湯水の循環流量である放熱循環流量Ｌ２は所定の設定放熱循環流量（例えば１〜１０Ｌ／ｍｉｎの間の所定の流量）に設定される。また、放熱運転の開始直後においては、三方弁１５のバイパス側接続ポートの開度は最大とされて、バイパス流量Ｌ３は最大に設定される。
尚、複数の設定放熱循環流量を設け、放熱循環流量Ｌ２を適宜それら複数の設定放熱循環流量の間で切り換えるように構成しても構わない。
更に、蓄熱槽上層温度Ｔ５が目標熱媒温度に所定値α（例えば、０〜１０℃の間の所定の温度）を加えた温度よりも低いか否かが判定される（ステップ＃２３）。蓄熱槽上層温度Ｔ５が目標熱媒温度に所定値αを加えた温度よりも低い場合には、放熱端末循環回路Ｃ２における湯水の通流状態が、蓄熱槽１４の湯水循環状態を全量バイパス状態に切り換えられ（ステップ＃２４）、放熱端末往き温度Ｔ３を目標熱媒温度に維持するべく、図５に示す補助加熱量制御が実行される（ステップ＃２５）。一方、蓄熱槽上層温度Ｔ５が目標熱媒温度に所定値αを加えた温度以上の場合には、放熱端末循環回路Ｃ２における湯水の通流状態が、蓄熱槽１４の下部とバイパス路Ｒ５への放熱端末戻り路Ｒ４の湯水の流入を許容する所謂分流許容状態に切り換えられ（ステップ＃２６）、図６に示すバイパス流量制御（ステップ＃２７）が実行されることで、放熱端末往き温度Ｔ３が、目標熱媒温度に維持される。
そして、これらステップ＃２３〜ステップ＃２７の判定並びに制御が、放熱運転の終了指令が入力されるまでは継続して実行され（ステップ＃２８）、放熱運転の終了指令が入力された場合には、放熱運転を終了すべく、放熱循環ポンプ２１、燃焼式加熱部１７等を停止する形態で放熱運転終了処理が実行される（ステップ＃２９）。
【００３２】
（補助加熱量制御）
以下、補助加熱量制御について、図５に基づいて説明を加える。
かかる補助加熱量制御では、先ず、放熱端末往き温度Ｔ３（補助加熱温度センサＳ３にて測定される温度）が放熱端末３０にて要求される目標熱媒温度（例えば、４０〜６０℃の間の所定の温度）以下であるか否かが判定される（ステップ＃５１）。
そして、上記ステップ＃５１において放熱端末往き温度Ｔ３が目標熱媒温度以下であると判定した場合には、燃焼式加熱部１７の加熱量が所定量増加され（ステップ＃５２）、このことで放熱端末循環回路Ｃ２において放熱端末３０を通流する湯水の温度が上昇して、放熱端末往き温度Ｔ３が目標熱媒温度に近づくべく上昇する。
【００３３】
一方、上記ステップ＃５１において放熱端末往き温度Ｔ３が目標熱媒温度を超えると判定した場合には、燃焼式加熱部１７の加熱量が調整可能範囲の下限値である最小加熱量であるか否かが判定される（ステップ＃５３）。
そして、燃焼式加熱部１７の加熱量が最小加熱量でない場合には、当該加熱量が所定量減少され（ステップ＃５４）、このことで放熱端末循環回路Ｃ２において放熱端末３０を通流する湯水の温度が低下して、放熱端末往き温度Ｔ３が目標熱媒温度に近づくべく低下する。また、燃焼式加熱部１７の加熱量が最小加熱量である場合には、当該加熱量をそれ以上低下させることができないので、燃焼式加熱部１７による加熱が停止され（ステップ＃５５）、このことで放熱端末循環回路Ｃ２において放熱端末３０を通流する湯水の温度が低下して、放熱端末往き温度Ｔ３が目標熱媒温度に近づくべく低下する。
尚、本補助加熱量制御における上記ステップ＃５１及び上記ステップ＃５３の判定処理は、夫々個別の判定処理とするのではなく、一の判定処理で夫々の場合を判定するように構成しても構わない。
【００３４】
（バイパス流量制御）
以下、バイパス流量制御について、図６に基づいて説明を加える。
かかるバイパス流量制御では、先ず、放熱端末往き温度Ｔ３（補助加熱温度センサＳ３にて測定される温度）が放熱端末３０にて要求される目標熱媒温度（例えば、４０〜６０℃の間の所定の温度）以下であるか否かが判定される（ステップ＃６１）。
そして、上記ステップ＃６１において放熱端末往き温度Ｔ３が目標熱媒温度以下であると判定した場合には、三方弁１５のバイパス側接続ポートの開度が最小（又は全閉）であって、バイパス路Ｒ５におけるバイパス流量Ｌ３が調整可能範囲の下限値である最小流量であるか否かが判定される（ステップ＃６２）。
そして、バイパス流量Ｌ３が最小流量でない場合には、当該バイパス流量Ｌ３が所定量減少され（ステップ＃６４）、蓄熱槽下部戻り流量Ｌ４が増加することで、放熱端末循環回路Ｃ２において放熱端末３０を通流する湯水の温度が上昇して、放熱端末往き温度Ｔ３が目標熱媒温度に近づくべく上昇する。また、バイパス流量Ｌ３が最小流量である場合には、バイパス流量Ｌ３をそれ以上減少させることができないので、燃焼式加熱部１７の作動が最小加熱量で開始され（ステップ＃６３）、このことで放熱端末循環回路Ｃ２において放熱端末３０を通流する湯水の温度が上昇して、放熱端末往き温度Ｔ３が目標熱媒温度に近づくべく上昇する。
【００３５】
一方、上記ステップ＃６１において放熱端末往き温度Ｔ３が目標熱媒温度を超えると判定した場合には、当該バイパス流量Ｌ３が所定量増加され（ステップ＃６５）、蓄熱槽下部戻り流量Ｌ４が減少することで、放熱端末循環回路Ｃ２において放熱端末３０を通流する湯水の温度が低下して、放熱端末往き温度Ｔ３が目標熱媒温度に近づくべく低下する。
尚、本バイパス流量制御における上記ステップ＃６１及び上記ステップ＃６２の判定処理は、夫々個別の判定処理とするのではなく、一の判定処理で夫々の場合を判定するように構成しても構わない。
【００３６】
〔加熱放熱運転〕
制御装置２０により実行される加熱放熱運転の詳細構成について、図４に基づいて説明する。
加熱放熱運転は、外部からの加熱放熱運転の開始指令が入力された際に実行が開始され、かかる加熱放熱運転では、上述した加熱運転（図２参照）と同様に、加熱循環回路Ｃ１における湯水の循環と、熱電併給装置１１の作動とが開始される（ステップ＃３１、＃３２）。同時に、上述した放熱運転（図３参照）と同様に、放熱端末循環回路Ｃ２における湯水の通流状態が分流許容状態とされ、放熱端末循環回路Ｃ２における湯水の循環が開始される（ステップ＃３３、＃３４）。
【００３７】
次に、放熱戻り温度Ｔ６が所定の全量バイパス判定温度以下であるか否かが判定される（ステップ＃３５）。
かかる全量バイパス判定温度は、加熱往き路Ｒ１の湯水に対して許容される許容上限温度（例えば６５℃）に対して所定の余裕分低い温度（例えば５５〜６０℃の間の所定の温度）に設定されている。
そして、上記ステップ＃３５において放熱戻り温度Ｔ６が全量バイパス判定温度を超える所謂高温状態の場合には、放熱端末循環回路Ｃ２における湯水の通流状態が、放熱端末戻り路Ｒ４の湯水の全量をバイパス路Ｒ５に流入させる所謂全量バイパス状態に切り換えられる（ステップ＃３６）。すると、その高温状態となる放熱端末戻り路Ｒ４の湯水の全てがバイパス路Ｒ５を介して放熱端末往き路Ｒ３に流入する。これにより、蓄熱槽１４の下部から蓄熱槽１４の下層や加熱往き路Ｒ１に高温状態となる放熱端末戻り路Ｒ４の湯水が流入することが防止され、蓄熱槽１４の成層貯湯状態と加熱往き路Ｒ１の低温状態とが良好に維持される。
尚、上記ステップ＃３６において放熱端末循環回路Ｃ２の湯水通流状態を全量バイパス状態とした場合、放熱端末往き温度Ｔ３（補助加熱温度センサＳ３にて測定される温度）を目標熱媒温度に維持するべく、上述した放熱運転（図３参照）と同様に、図５に示す補助加熱量制御が実行される（ステップ＃３７）。
【００３８】
一方、上記ステップ＃３５において放熱戻り温度Ｔ６が全量バイパス判定温度以下の所謂中低温状態の場合には、蓄熱槽上層温度Ｔ５が目標熱媒温度に所定値α（例えば、０〜１０℃の間の所定の温度）を加えた温度よりも低いか否かが判定される（ステップ＃４２）。蓄熱槽上層温度Ｔ５が目標熱媒温度に所定値αを加えた温度よりも低い場合には、放熱端末循環回路Ｃ２における湯水の通流状態が、蓄熱槽１４の湯水循環状態を全量バイパス状態に切り換えられ（ステップ＃３６）、上述した放熱運転（図３参照）と同様に、放熱端末往き温度Ｔ３を目標熱媒温度に維持するべく、図５に示す補助加熱量制御が実行される（ステップ＃３７）。一方、蓄熱槽上層温度Ｔ５が目標熱媒温度に所定値αを加えた温度以上の場合には、放熱端末循環回路Ｃ２における湯水の通流状態が、蓄熱槽１４の下部とバイパス路Ｒ５への放熱端末戻り路Ｒ４の湯水の流入を許容する所謂分流許容状態に切り換えられる（ステップ＃３８）。尚、上記ステップ＃３８において放熱端末循環回路Ｃ２の湯水通流状態を分流許容状態とした場合、放熱端末往き温度Ｔ３（補助加熱温度センサＳ３にて測定される温度）を目標熱媒温度に維持するべく、上述した放熱運転（図６参照）と同様に、図６に示すバイパス流量制御が実行される（ステップ＃３９）。
そして、これらステップ＃３５〜ステップ＃３９及びステップ＃４２の判定並びに制御が、加熱放熱運転の終了指令が入力されるまでは継続して実行され（ステップ＃４０）、加熱放熱運転の終了指令が入力された場合には、加熱放熱運転を終了すべく、加熱循環ポンプ１２、熱電併給装置１１、放熱循環ポンプ１６、燃焼式加熱部１７等を停止する形態で加熱放熱運転終了処理が実行される（ステップ＃４１）。
【００３９】
＜別実施形態＞
（１）上記実施形態では、加熱部としての熱電併給装置１１の例として、ガスエンジン発電機を挙げたが、当該熱電併給装置１１は、例えば、固体酸化物型燃料電池等、電力と共に熱を発生するものであれば、どのようなものでも含む。
また、加熱部としては、熱電併給装置１１に限らず、ヒートポンプや太陽熱回収パネル等を採用することもでき、更に、複数の加熱部を備える構成を採用することもできる。
【００４０】
（２）上記実施形態では、放熱端末循環回路Ｃ２における湯水の通流状態を全量バイパス状態と分流許容状態との間で切り換えるための切換手段を、バイパス路Ｒ５と放熱端末往き路Ｒ３との接続部に設けられた三方弁１５で構成したが、バイパス路Ｒ５や放熱端末往き路Ｒ３に適宜複数の制御弁を設けて、放熱端末循環回路Ｃ２における湯水の通流状態を切り換えるように構成しても構わない。
【００４１】
（３）上記実施形態では、単一の制御装置２０で、加熱運転、放熱運転、加熱放熱運転を行う集中制御の形態としたが、お互いの運転状況を通信する機能を備えて各運転を行う制御装置を個別に備えた分散制御の形態でも構わない。
【００４２】
（４）上記実施形態では、全量バイパス状態と分流許容状態との切り換えにおいて、蓄熱槽上層温度Ｔ５と目標熱媒温度とに基づく判定（ステップ＃２３及びステップ＃４２の判定）を行っているが、当該判定は、省略しても構わない。
【００４３】
（５）上記実施形態では、熱回収処理部が、蓄熱槽１４の下部の湯水を熱電併給装置１１に供給すると共に、熱電併給装置１１を通流した湯水を蓄熱槽１４の上部に戻す形態で構成されたが、これに限らず、熱回収処理部を、蓄熱槽１４の下部の湯水を熱電併給装置１１の熱で加熱される熱交換器に供給すると共に、熱交換器を通流した湯水を蓄熱槽１４の上部に戻す形態で構成してもよい。
【産業上の利用可能性】
【００４４】
以上説明したように、蓄熱槽の熱媒の熱を放熱端末において有効に利用することができる蓄熱式熱源装置を提供することができる。
【符号の説明】
【００４５】
１１      熱電併給装置（加熱部）
１４      蓄熱槽
１７      燃焼式加熱部
１８      燃焼式加熱装置
２１      放熱循環ポンプ
２２      膨張タンク
２３      熱媒補給弁
２４      熱媒供給切換弁
３０      放熱端末
１００    蓄熱式熱源装置
Ｒ９      接続配管
【図１】
2016118328.tif 000003
【図２】
2016118328.tif 000004
【図３】
2016118328.tif 000005
【図４】
2016118328.tif 000006
【図５】
2016118328.tif 000007
【図６】
2016118328.tif 000008